(57)【要約】【課題】  小液滴を吐出する高密度な吐出口列を複数列配列したインクジェット記録ヘッドを用いながら、カーテン効果に起因するミストの付着量を極力低減し、ワイピング動作を行う回数を抑えることにより、長期間に渡って安定した品位の画像を出力することが可能なインクジェット記録方法およびインクジェット記録装置を提供する。【解決手段】  検出した画像データの記録量に応じて、通常記録か分割記録かを決定し、通常記録の場合は、複数の吐出口列による同時の記録動作によって記録を行い、分割記録では複数の吐出口列単位で複数回の記録動作によって記録を行う。これにより、ミストの付着量が多く、その後の吐出品位を低下させる恐れがある場合のみ、分割記録を適用してミストの発生量を抑制するので、必要以上に記録時間を増大させること無く、ワイピング動作を行う回数を抑えることができる。【選択図】  図４
2005288909.tif 000002
【特許請求の範囲】
【請求項１】
インクを吐出する吐出口が所定の方向に複数配列された吐出口列を、前記所定の方向と異なる方向に複数並列して構成される記録ヘッドを用い、画像データに基づいて記録を行うインクジェット記録装置において、
前記画像データに基づいて、前記記録ヘッドによる記録量を検出する手段と、
前記検出手段より得られた記録量に応じて、通常記録か分割記録かを決定する手段と、
前記決定手段の結果に基づいて通常記録或いは分割記録を実行する記録手段と
前記記録ヘッドの吐出口が形成された面をワイピング部材によりワイピングするワイピング手段と、
前記ワイピング手段によるワイピングの動作を制御する制御手段と、
を有し、前記通常記録では前記複数の吐出口列による同時の記録動作によって記録が行われ、前記分割記録では前記複数の吐出口列単位で複数回の記録動作によって記録が行われることを特徴とするインクジェット記録装置。
【請求項２】
前記複数の吐出口列は、互いに異なるインクを吐出することを特徴とする請求項１に記載のインクジェット記録装置。
【請求項３】
前記複数の吐出口列は、同一のインクを吐出し、各吐出口列に含まれる複数の吐出口の配列位置が前記所定の方向に対し互いにずれていることを特徴とする請求項１に記載のインクジェット記録装置。
【請求項４】
前記複数の吐出口列は、同一のインクを吐出し、各吐出口列に含まれる複数の吐出口の配列位置が前記所定の方向に対し互いにずれた２列構成となっており、該２列構成の吐出口列が、異なるインクを吐出するために複数用意されて前記所定の方向と異なる方向に並列していることを特徴とする請求項１に記載のインクジェット記録装置。
【請求項５】
前記検出手段は、前記画像データに基づいて、前記記録ヘッドによる記録ページ数を前記記録量として検出することを特徴とする請求項１乃至４のいずれかに記載のインクジェット記録装置。
【請求項６】
前記検出手段は、前記画像データに基づいて、前記記録ヘッドによる１ページ分の記録量を検出することを特徴とする請求項１乃至４のいずれかに記載のインクジェット記録装置。
【請求項７】
前記インクジェット記録装置は、前記記録ヘッドが前記所定の方向とは異なる方向に移動走査しながらインクを吐出する記録走査と、記録媒体を所定量搬送する副走査とを交互に繰り返すことにより、前記記録媒体に画像を形成するシリアル型のインクジェット記録装置であって、
前記検出手段は、前記画像データに基づいて、前記記録ヘッドによる１回分の前記記録走査の記録量を検出し、前記分割記録では前記記録媒体の同一領域に対し、前記複数の吐出口列単位で複数回の前記記録走査によって記録が実行されることを特徴とする請求項１乃至５のいずれかに記載のインクジェット記録装置。
【請求項８】
前記インクジェット記録装置は、記録媒体の記録幅に相当する領域および方向に吐出口が複数配列された吐出口列をする前記記録ヘッドを用い、記録媒体を搬送することにより画像を形成するフルライン型のインクジェット記録装置であることを特徴とする請求項１乃至６のいずれかに記載のインクジェット記録装置。
【請求項９】
インクを吐出する吐出口が所定の方向に複数配列された吐出口列を、前記所定の方向と異なる方向に複数並列して構成される記録ヘッドを用い、画像データに基づいて記録を行うインクジェット記録方法において、
前記画像データに基づいて、前記記録ヘッドによる記録量を検出する工程と、
前記検出工程より得られた値に応じて、通常記録か分割記録かを決定する工程と、
前記決定工程の結果に基づいて通常記録或いは分割記録を行う記録工程段と
を有し、前記通常記録では前記複数の吐出口列による同時の記録動作によって記録が実行され、前記分割記録では前記複数の吐出口列単位で複数回の記録動作によって記録が実行されることを特徴とするインクジェット記録方法。
【発明の詳細な説明】
【技術分野】
【０００１】
本発明は、インクを吐出する複数の吐出口列を用いて記録媒体に画像を形成するインクジェット記録に関するもので、詳しくは吐出口面に付着するインクミストを低減するためのインクジェット記録方法およびこれを実現するインクジェット記録装置に関する。
【背景技術】
【０００２】
オフィスでの利用等において近年市場を拡大しているインクジェット記録装置では、記録ヘッドの吐出口からインクを吐出し、これを記録媒体に付与することによって画像を形成する。インクの吐出は、画像データの信号値に従って行われるが、この際、吐出口から吐出されるインク滴においては、実際に記録媒体に着弾する主滴とともに、細かい霧状の液滴（インクミスト）が発生する。インクミスト（以下、単にミストも言う）は、微小な液滴であるので、主滴に比べて移動速度が著しく遅く、その大部分は記録媒体に付着せずに、空気中を浮遊することが多い。浮遊するミストは、機内を舞っているものもあれば、記録ヘッドの吐出口面に舞い戻ってくるものもある。舞い戻ったミストは、吐出口面に付着して、後続して行われる吐出の妨げとなる場合がある。吐出口面は撥水剤によって撥水効果があるものの、吐出口面の吐出口部分にインクが液滴状に付着した場合には、インクが正常に吐出できなくなってしまう。よって、インクジェット記録装置においては、周期的にあるいは好適なタイミングで記録ヘッドの吐出口面をワイピングする構成が一般に具備されている。
【０００３】
ワイピング動作は、吐出口面に付着したインクを払拭するものであり、上記ミストによる吐出口面の濡れを解消する他に、吐出口面に付着したごみ等を除去する効果もある。よって、吐出不良が発生する前の適切なタイミングで、これら濡れやごみを除去することにより、安定して良好な記録を持続させることが出来る。
【０００４】
しかしながら一方で、ワイピング動作は、記録ヘッドのインク吐出面にワイパ部材を擦過させて行うため、ワイパ部材の押し付け力、硬度、擦過速度などの条件によっては、インク吐出口面の撥水剤を剥離して撥水性を劣化させてしまったり、連続したワイピング動作によって吐出口面周囲に欠けなどを生じさせてしまったりと、吐出性能を劣化させる様々な弊害も懸念させる。
【０００５】
また、記録ヘッドの吐出口面は、ステンレス、真鍮、ガラス、あるいはポリサルフォン・フェノール系の樹脂等が使用されているが、これらはワイパ部材として使用されるゴム等よりも一般に硬度が高い。よって、上記条件によっては、逆にワイパ部材が磨耗する場合も考えられ、この場合にはワイピング動作におけるインク液滴除去性能が低下して、吐出不良が発生しやすくなる。
【０００６】
更に、上記条件が好適な状態であったとしても、ワイピング動作の効果はワイピング動作の回数に応じて徐々に低下して行くことは回避できない。
【０００７】
以上より、ワイピング動作はインクジェット記録装置において必要なシーケンスの１つではあるが、これを実施する頻度は出来るだけ最小限に抑えることが望まれる。よって、従来のインクジェット記録装置においては、好適なタイミングで確実なワイピング動作を行うことと同時に、出来るだけ吐出口面にミストの付着を起こさないような工夫を施すことが、安定した吐出を維持するための対策と考えられていた。
【０００８】
ミストの発生を出来るだけ抑制する記録方法については、既にいくつかの提案がなされている（例えば特許文献１参照。）。
【０００９】
特許文献１では、画像品位を向上させるための処理液を、インクとは別に用意したインクジェット記録装置を対象としており、特に吐出口面に付着する処理液を低減することを目的としている。同文献によれば、各記録走査で記録する画像の記録デューティに応じてミストの量が変動することに着目しており、記録デューティの高い記録走査のみ、複数回の記録走査に分割して画像を記録する方法が開示されている。画像を分割する方法としては、各色の記録ヘッド（吐出口列）が記録する２値の記録データを、互いに補間の関係にある複数のマスクパターンに従って間引くなどの方法が挙げられており、各記録走査での記録デューティを所定量以下に抑え、ミストによる吐出口面の汚れなどを低減する効果が明記されている。
【００１０】
また、必要以上にワイピング動作を行なわないようにするために、吐出口面に対してインクが付着した状態を検知し、検知結果に従ってワイピング動作を行なうようにした構成が提案されている（例えば特許文献２）。
【００１１】
特許文献２では、吐出口面を光学センサにより検知し、吐出口面にインクが付着してワイピング動作の実行が必要な記録ヘッドを判断し、記録ヘッド毎にワイピング動作の実行を制御する構成を開示している。
【００１２】
【特許文献１】特開平１０−２７８２５０号公報
【特許文献２】特開平０７−２４６７０８号公報
【発明の開示】
【発明が解決しようとする課題】
【００１３】
ところで、近年のインクジェット市場においては、銀塩写真に匹敵するような、より高画質な画像を実現するために、記録解像度の更なる向上が望まれている。これを実現するために、より小液滴なインクを、より高密度に吐出するための記録技術が開発され、記録ヘッドにおいては、インクを吐出するための記録素子列を、各色で２列ずつ配列させた構成のものが、多く提供されている。
【００１４】
図１は、高密度な記録を可能な記録ヘッドの構成例を示した模式図である。図において、１０１は記録ヘッドの吐出口面である。また、１０１Ｋはブラックインク用の吐出口列、１０１Ｃはシアンインク用の吐出口列、１０１Ｍはマゼンタインク用の吐出口列、１０１Ｙはイエローインク用の吐出口列である。各色ともに２列ずつの吐出口列を有しており、各吐出口子列は例えば６００ｄｐｉ（ドット／インチ；参考値）のピッチで図の縦方向に配列している。２列の吐出口列は互いに半ピッチずれている。よって、記録ヘッド１０１が横方向に移動しながら、適切なタイミングで吐出を行うことで、１２００ｄｐｉの密度で記録を行うことが出来る。
【００１５】
このように、近年の記録ヘッドにおいては、より高解像な記録を実現するため、また記録装置本体をコンパクトにするために、吐出口面１０１には従来よりも多くの吐出口が高密度に配列され、これらが同時に吐出を行うようになっている。
【００１６】
しかしながら、上記のような吐出口の配列構成においては、新たな問題も確認されている。高密度に吐出口が配列された２列の吐出口列で同時に吐出動作を行った場合、吐出動作に伴ってカーテンのような２列の気流が発生する（以下カーテン効果と称す）。この場合、２列の吐出口列間に発生したミストは、両側のカーテンに閉じ込められた状態となり、２列間の吐出口領域には密度の高い状態でインク液が付着する。このようなインクが吐出口近傍に存在すると、新たに吐出されるインク滴は、その吐出方向が曲げられてしまったり、吐出自体が不能になってしまったりして、著しい画像劣化の原因となる。
【００１７】
カーテン効果に起因するミスト問題は、特許文献１に代表されるような従来の記録方法では解決することは出来なかった。特許文献１では、各色の吐出口列が記録する２値の記録データを、互いに補間の関係にある複数のマスクパターンに従って間引くなどの方法により、同一色の記録データを複数に分割する方法が開示されていた。しかし、例示されている実施例に拠れば、複数の記録走査で記録データを等分に分配することを目的としたマスクパターンが開示されているのみで、近年の２列構成に特有のカーテン効果による新たな問題は意識されていなかった。すなわち、図１で説明したような近年の高密度に２列配列された吐出口構成のインクジェット記録ヘッドを適用した場合には、上記特許文献１の技術を適用しても、カーテン効果自体は解除されず、２列の吐出口間領域には、やはりミストを付着しやすい状況を生み出してしまうのである。
【００１８】
また、特許文献２に記載されるように吐出口面へインクが付着した状態を検知して制御する構成では、検知のためにセンサを設ける必要があり、検知の動作のための特別な制御を必要とするため、制御構成が複雑となったり、記録以外の処理に時間を費やして記録のスループットを低下させてしまうことが考えられる。
【００１９】
図１では、各色で２列ずつの吐出口配列を有する記録ヘッドについて説明したが、カーテン効果は、必ずしもこの構成に限って発生するものではない。たとえば、各色で１列ずつの吐出口配列であったとしても、記録ヘッドが小型化で各色の吐出口間の距離が十分に小さい場合には、異なる色同士の吐出口列の間でもカーテン効果は発生する。
【００２０】
更に上記では、シリアル型のインクジェット記録装置に搭載される記録ヘッドを例に説明したが、上記問題は、フルライン型のインクジェット記録装置において、より顕著に現れる。フルライン型のインクジェット記録装置では、吐出口が記録媒体の幅以上に固定的に多数配列しており、所定の周波数で各吐出口からインクを吐出すると同時に、配列方向と交差する方向に記録媒体を搬送することによって画像が形成される。よってシリアル型に比べ、はるかに高速に出力可能であることが特徴となっている。
【００２１】
しかしながら、吐出口列の幅が大きい分、カーテン効果が起こる領域も拡大し、より多くのインク滴が付着しやすい。よって、ワイピング動作がより頻繁に行われることが要求される。しかし、固定された多数の吐出口に対応するためのワイピング機構は、シリアル型に比べて大掛かりで、また、ワイピング動作の実行により多くの動作時間が必要である。すなわち、フルライン型のインクジェット記録装置においては、高速記録の特徴を生かすために、記録時間に影響するワイピング動作回数を更に低減することが要求されながらも、これが実現できなかったのである。
【００２２】
以上説明したように、近年のインクジェット記録装置においては、シリアル型であれフルライン型であれ、カーテン効果に伴う新たなミスト弊害が大きな問題となっており、これが原因で従来よりも多くのワイピング動作を行われざるを得ない状況となっているのである。
【００２３】
本発明は上記問題点を解決するためになされたものであり、その目的とするところは、小液滴を吐出する高密度な吐出口列を複数列配列したインクジェット記録ヘッドを用いながら、カーテン効果に起因するミストの付着量を極力低減し、ワイピング動作を行う回数を抑えることが可能なインクジェット記録装置およびインクジェット記録方法を提供することである。
【課題を解決するための手段】
【００２４】
そのために本発明においては、インクを吐出する吐出口が所定の方向に複数配列された吐出口列を、前記所定の方向と異なる方向に複数並列して構成される記録ヘッドを用い、画像データに基づいて記録を行うインクジェット記録装置において、前記画像データに基づいて、前記記録ヘッドによる記録量を検出する手段と、前記検出手段より得られた記録量に応じて、通常記録か分割記録かを決定する手段と、前記決定手段の結果に基づいて通常記録或いは分割記録を実行する記録手段と前記記録ヘッドの吐出口が形成された面をワイピング部材によりワイピングするワイピング手段と、前記ワイピング手段によるワイピングの動作を制御する制御手段と、を有し、前記通常記録では前記複数の吐出口列による同時の記録動作によって記録が行われ、前記分割記録では前記複数の吐出口列単位で複数回の記録動作によって記録が行われることを特徴とする。
【００２５】
また、インクを吐出する吐出口が所定の方向に複数配列された吐出口列を、前記所定の方向と異なる方向に複数並列して構成される記録ヘッドを用い、画像データに基づいて記録を行うインクジェット記録方法において、前記画像データに基づいて、前記記録ヘッドによる記録量を検出する工程と、前記検出工程より得られた値に応じて、通常記録か分割記録かを決定する工程と、前記決定工程の結果に基づいて通常記録或いは分割記録を行う記録工程段とを有し、前記通常記録では前記複数の吐出口列による同時の記録動作によって記録が実行され、前記分割記録では前記複数の吐出口列単位で複数回の記録動作によって記録が実行されることを特徴とする。
【発明の効果】
【００２６】
本発明によれば、ミストの付着量が多く、その後の吐出品位を低下させる恐れがある場合のみ、分割記録を適用してミストの発生量を抑制するので、必要以上に記録時間を増大させること無く、ワイピング動作を行う回数を抑え、長期間に渡って安定した品位の画像を出力することが可能となる。
【発明を実施するための最良の形態】
【００２７】
以下に本発明の実施の形態を詳細に説明する。
（第１の実施形態）
図２は、本実施形態に適用するシリアル型のインクジェット記録装置の内部構造を説明するための斜視図である。６は記録ヘッドであり、４色のインクを吐出する吐出口列６１、６２、６３および６４が図のように配列している。各色の吐出口列は１列ずつの配列となっているが、各色間の距離はカーテン効果を発生するに十分短い距離となっている。インクを吐出するための方式は様々なものが挙げられるが、より高密度に記録素子を配列させることが可能な構成としては、各記録素子内に電気熱変換体を設け、急激な発熱によって起こる発泡エネルギを利用する方法が、適していると言える。無論、この方式に限定されるものではなく、例えばピエゾ素子等の圧電素子によってインク滴を吐出する方法などであっても、本発明および本実施形態は適用可能である。
【００２８】
記録ヘッド６を搭載したキャリッジ１は、キャリッジベルト３を介したキャリッジモータ２の駆動により、ガイドシャフト４１および４２に案内支持されながら、図のＸ方向に往復移動可能となっている。５は記録媒体であり、不図示の搬送ローラによって図のＹ方向に搬送される。
【００２９】
また、ここでは特に図示していないが、記録装置の記録ヘッド６が移動可能な記録領域外の位置には、記録ヘッドのメンテナンスを行う回復機構が設けられている。回復機構には、吐出口をキャップするためのキャッピング機構や吐出口面をワイピングするためのワイピング機構などが具備されている。記録が行われないときには、記録ヘッド６の各色の吐出口６１〜６４に対して、インクの蒸発を防止するためのキャッピングが行われている。
【００３０】
記録動作時、まず、回復機構のキャッピングが解除され、記録ヘッド６を搭載したキャリッジ１は、所定の速度でＸ方向に移動する。その後、１走査分の記録に必要な所定量の記録データがプリントバッファに蓄積され、実際の記録動作が開始される。各色の吐出口６１〜６４からは、キャリッジ１の移動速度に合わせた駆動周期によって、画像信号に応じた吐出が行われる。この１回の記録走査により、記録媒体５には、記録ヘッド６による１バンド分の画像が記録される。所定の１バンド分の画像が形成されると、記録媒体は１バンド分に応じた距離だけＹ方向に搬送される。以上説明した、記録走査と搬送動作とを交互に繰り返すことにより、記録媒体５に順次画像が形成されていく。
【００３１】
なお、上記では、キャリッジモータ２からキャリッジ１への駆動力の伝達にキャリッジベルト３を用いているが、キャリッジベルトの変わりにリードスクリュー等他の駆動方法を用いても無論構わない。
【００３２】
また、図示されていないが、本実施形態のインクジェット記録装置は、記録ヘッド６に対し、インクタンクからインクを供給するサブシステムを有している。このサブシステムでは、インクはメインのインクタンクに収容されており、チューブ、ジョイントおよびサブタンクなどを経由して記録ヘッドに送られる。
【００３３】
記録媒体５の種類は、用紙のみならず、インクジェット記録に適するものであれば特に制限はない。例えば、普通紙、用紙上に炭酸カルシューム、酸化チタン、酸化アルミ、結着剤などからなるインク吸収層を設けたコート紙、高分子フィルム上にインクを吸収するＡｌ２０３の他孔質体などによる吸収層を設けたフィルム類などを適用することが出来る。
【００３４】
図３は、本実施形態で適用するインクジェット記録装置の制御系の構成を説明するためのブロック図である。６０２はＣＰＵであり、外部に接続されたホスト装置６０１から入力される画像信号に従い、記録動作や装置内のメンテナンス等の記録装置全体の制御を行っている。ＣＰＵ６０２が行う処理プログラムは、ＲＯＭ６０３に格納されており、ＲＡＭ６０４は、処理中の画像信号を一時的に保存するなどのワークエリアとして利用されている。６０５は記録ヘッド６を駆動するための記録ヘッドドライバであり、６０７はキャリッジモータ２を駆動するためのキャリッジモータドライバである。また、６１０は記録媒体５を搬送するための搬送モータであり、６０９は搬送モータ６１０を駆動するための搬送モータドライバである。ＣＰＵ６０２は、ホスト装置６０１より入力した画像信号に対し所定の画像処理を行い、記録ヘッドドライバ６０５を制御して、記録ヘッド６にインクの吐出を行わせる。また、同時にキャリッジモータドライバ６０７を制御することによって、キャリッジ２を主走査方向に移動走査させ、これにより記録媒体には１回の記録走査分の画像が形成される。１回の記録主走査と、搬送モータ６１０による記録媒体の所定量の搬送とを、交互に行うことにより、記録媒体に順次画像が形成されて行く。
【００３５】
６１２は、記録ヘッド６に対するメンテナンスを行う回復機構であり、６１１は回復機構６１２を駆動するための回復系ドライバである。ＣＰＵ６０２は、非記録時や記録中の所定のタイミングに、回復系ドライバ６１１を制御し、記録ヘッド６に対するメンテナンス処理を行う。
【００３６】
図４は、実際に記録を行う際に、本実施形態のＣＰＵ６０２が行う記録処理の一例を説明するためのフローチャートである。
【００３７】
ホスト装置６０１より記録開始命令が入力されると、ＣＰＵ６０２は、まず入力されてきたジョブのページ数を確認する（ステップＳ４１）。次に給紙動作を行い、１枚分の記録媒体を記録ヘッドが記録可能な位置にまで搬送する（ステップＳ４２）。
【００３８】
ステップＳ４３では、記録ヘッド６が１回の記録走査で記録可能な１バンド分の画像データをホスト装置６０１より入力し、色ごとに設けられたＲＡＭ６０４内のプリントバッファに格納する。
【００３９】
ステップＳ４４では、プリントバッファに格納された吐出データのカウントを行い、続くステップＳ４５では、ステップＳ４１で得られたページ数、およびステップＳ４４で得られたカウント値に応じて、次に行う記録走査を通常記録で行なうか分割記録で行うかを決定する。
【００４０】
ステップＳ４５での決定方法としては、相対的にミストの発生する量が多いと判断される場合には分割記録に、少ないと判断される場合には通常記録とするものとすればよい。具体的には、例えば所定のページ数Ｎに対し、吐出データのカウント数が閾値Ｓ以上であった場合には分割記録に、閾値Ｓ以下であった場合には通常記録というように判断すればよい。また、当該閾値がＳ以上であったとしても、ページ数が少ない場合には、通常記録と判断してもよい。
【００４１】
ステップＳ４５にて通常記録と判断された場合、ステップＳ４６へ進み、全４色の記録ヘッドによる記録走査を実行する。すなわち、各色のプリントバッファに格納された１走査分の全記録データを、同一の１回の往路の記録走査にて記録する。記録走査が終了すると、キャリッジモータ２は逆方向へ回転し、キャリッジは復路方向へ空スキャンする。これで、１バンド分の記録が完了する。
【００４２】
一方、ステップＳ４５で分割記録と判断された場合にはステップＳ４７に進み、色別の記録走査が行われる。色別の記録走査においては、まず、記録ヘッド６が往路方向へ移動しながら、シアンのプリントバッファに格納された１走査分のシアンの記録データのみに対しての記録が行われる。続いて復路の記録走査で、マゼンタのみの記録を行う。更に同一の画像領域に対して、再び往路でイエローの記録走査を行い、最後に復路でブラックの記録走査を行う。これで、１バンド分の記録が完了する。
【００４３】
１バンド分の記録が完了すると、ステップＳ４８へ進み、１バンド分に対応した量の記録媒体の搬送動作を行う。
【００４４】
続くステップＳ４９では、１ページ分の記録走査が全て終了したか否かを判断する。終了したと判断された場合、ステップＳ５０へ進み排紙動作が行われる。まだ終了していないと判断された場合にはステップＳ４３に戻り、次の１バンド分の画像データの格納を行う。
【００４５】
ステップＳ５１では、ホスト装置６０１より入力された記録コマンドの全ジョブが終了したか否かを判断する。終了していないと判断された場合にはステップＳ４２に戻り、次のページの記録を行うための給紙動作を行う。ステップＳ５１で、全ジョブが終了したと判断された場合には、本処理を終了する。
【００４６】
以上の工程に従って行われる本実施形態の記録においては、ミストが発生しやすいジョブあるいは記録走査に対してのみ、分割記録が適用される。すなわち、各記録走査で１列（１色）ずつの記録動作となるので、上述したようなカーテン効果を低減して、吐出口面へのミストの付着量を抑制することができる。一方で、ミスト付着の懸念のない記録走査やジョブについては、通常通り４色同時の記録走査となるので、必要以上に記録時間が増加することもない。上述した構成は、ミストが発生しやすい条件下において分割記録を行なうことで、単に、１回の記録走査におけるミストの発生量を抑える効果だけではなく、カーテン効果を低減することで吐出口列間での気流の影響を少なくしてミストが吐出口面に付着する量を抑えることができる。その結果、ワイピング動作の頻度を少なくすることが可能となる。
【００４７】
一般に、往復走査にて記録動作を行う場合、記録媒体への各色の記録順番に応じて、目視で確認できる程度の発色性の差が現れることが知られている。すなわち、本実施形態のインクジェット記録装置であれば、往路で記録する場合にはシアン→マゼンタ→イエロー→ブラックの順でインクが重ねられて行くが、復路で記録する場合には、ブラック→イエロー→マゼンタ→シアンの順でインクが重ねられる。これら２種類の重ね順による発色性には、目視で確認できる程度の色差が生じ、通常の記録を往復走査で行ってしまうと、バンド単位の色ムラが発生して画像品位を著しく悪化させるのである。しかしながら、本実施形態の分割記録における往復記録では、各記録走査で１色ずつのインクを吐出しているので、記録媒体へのインクの重ね順は、往路走査で通常記録を行った場合と同様の順番（シアン→マゼンタ→イエロー→ブラック）となり、色ムラは発生しない。
【００４８】
以上説明したように本実施形態によれば、複数の吐出口列が高密度に配列されたインクジェット記録ヘッドを用いたシリアル型のインクジェット記録装置において、付着するミストの量が多いと判断された記録走査あるいはジョブに対してのみ、吐出口列別の分割記録走査を行うことにより、吐出口面へのミスト付着量を抑制することが出来る。よって、ワイピング動作が必要となる時間間隔を延長させて必要以上に記録時間を増大させることがない。さらに、ワイピング機能も保持することが出来るので、長期間に渡って安定した品位の画像を出力することが可能となる。
【００４９】
なお、以上では図４を用いて、ジョブに含まれるページ枚数とデータカウント値によって、各記録走査の記録方法を決定する例を説明したが、本発明および本実施形態はこれに限定されるものではない。吐出に影響を与えるミストの付着量は、記録装置の条件によって異なってくるものであり、ページ枚数やデータカウント値によって一概に決まるものではない。よって例えば、使用環境の温度や湿度を判断材料として加えてもよい。また、全色におけるデータカウント値ではなく、例えばシアンとマゼンタ、マゼンタとイエローのような、隣接する２列の吐出口列でのデータカウント値を行い、その結果によって記録方法を決定してもよい。このようにすれば、よりカーテン効果を意識した制御を行うことが出来る。この構成とする場合、図４のステップＳ４５による判断を、隣接する２列の吐出口列それぞれのカウント値がある値を超えた場合、分割記録を行うよう判断すればよい。この構成によれば、隣接する２列の吐出口列の両方がカーテン効果を発生する程度に記録デューティが高いときに分割記録が行われることとなり、吐出口面へのインクの付着を抑えることが可能となる。この場合、例えば４色それぞれに対応した吐出口列を備えた構成においては、隣接する吐出口列を一組として判断を行い、一組でも分割記録が必要であると判断したときには、分割記録を行うよう制御する。
【００５０】
また、ワイピング動作は図３のＣＰＵ６０２により制御されるものであるが、所定の時間間隔を超える毎に実行する場合は、上述の本発明の構成により、所定の時間間隔をより長く設定することが可能となる。さらには、記録データや、分割記録実行の有無などから、吐出口面に対するインクの付着状態を推定したり、吐出口面にインクが付着したことを検出したりしてワイピング動作を実行するようにしてもよい。この推定による制御、および検出の制御においては、本発明の構成により吐出口面へのインクの付着を少なくすることができ、実際にワイピング動作が実行される時間間隔を長くすることが可能となる。
【００５１】
更に、分割記録方法も上述した方法に限定されなくともよい。例えば、カーテン効果自体が隣接した２列の間でしか顕著に現れない場合などは、色ごとに４回の記録走査を行う必要はなく、シアンとイエロー、マゼンタとブラックがそれぞれ同時の記録走査で吐出させる構成にしてもよい。この場合であっても、吐出口列別に記録走査が行われ、カーテン効果を低減するという本発明の特徴的な効果は、同様に得られるのである。
（第２の実施形態）
以下に本発明の第２の実施形態について説明する。
【００５２】
図５は、本実施形態に適用するシリアル型のインクジェット記録装置の内部構造を説明するための斜視図である。本実施形態においても、殆どの機構は第１の実施形態と同様とし、同じ符号で表している。
【００５３】
本実施形態で適用する記録ヘッド６は、シアン、マゼンタ、イエローおよびブラックの他、更に染料濃度の低いライトシアンおよびライトマゼンタを加えた計６色のインクを吐出するものとする。
【００５４】
図６は、本実施形態で適用する記録ヘッド６を吐出口面側から観察した場合の模式図である。図１で説明した記録ヘッドと同様、各色ともに２列ずつの吐出口列を有しており、各吐出口子列は互いに半ピッチずれて配置している。このような構成においては、プリントバッファにおいても、各色のみならず各吐出口列別（Ｃ１、Ｃ２、Ｍ１、Ｍ２、Ｙ１、Ｙ２、Ｋ１、Ｋ２、ＬＣ１、ＬＣ２、ＬＭ１、ＬＭ２）に記録データが格納される構成となっている。
【００５５】
本実施形態においても、図３で説明したブロック図および図４で説明したフローチャートを適用することが出来る。但し、本実施形態においては、ステップＳ４７において、第１の実施形態とは異なった方法の分割記録を行う。本実施形態では、同時の記録走査で６色分の記録を行うが、各インク色では１列分の吐出口列を用いた吐出を行う。すなわち、まず、全色のプリントバッファに格納された１走査分の記録データのうち、Ｃ１、Ｍ１、Ｙ１、Ｋ１、ＬＣ１、ＬＭ１に相当する記録データのみが、記録ヘッド６の第１の記録走査によって記録される。続く第２の記録走査ではＣ２、Ｍ２、Ｙ２、Ｋ２、ＬＣ２、ＬＭ２に相当する分の記録データのみが記録される。この２回の記録走査により、１バンド分の記録が完了する。上記２回の記録走査は、双方とも往路の記録走査としてもよいし、１つは往路、１つは復路の様に、往復で記録走査する構成であってもよい。
【００５６】
以上説明したように本実施形態によれば、各色で２列ずつ吐出口が配列して構成されたインクジェット記録ヘッドを用いたシリアル型のインクジェット記録装置において、付着するミストの量が多いと判断された記録走査あるいはジョブに対してのみ、吐出口列別の分割記録走査を行うことにより、吐出口面へのミスト付着量を抑制することが出来る。よって、ワイピング動作が必要となる時間間隔を延長させて必要以上に記録時間を増大させることがない。さらに、ワイピング機能も保持することが出来るので、長期間に渡って安定した品位の画像を出力することが可能となる。
【００５７】
なお、本実施形態においても第１の実施形態と同様、ページ枚数やデータカウント値によってのみ記録方法を決定する構成でなくともよい。また、全色におけるデータカウント値ではなく、例えばシアンとマゼンタ、マゼンタとイエローのような、隣接する２色の吐出口列でのデータカウント値を行い、その結果によって記録方法を決定してもよい。
【００５８】
更に、分割記録方法も上述した方法に限定されなくともよい。例えば、１列おきの吐出口列で同時吐出した場合にも若干のカーテン効果が発生する場合には、第１の実施形態の方法を導入し、記録走査によって吐出するインク色を制御する方法を採用してもよい。
（第３の実施形態） 
以下に本発明の第３の実施形態を説明する。
【００５９】
図７は、本実施形態に適用するフルライン型のインクジェット記録装置の内部構造を説明するための側面図である。図において、７０１〜７０５は、フルライン型の５色分の記録ヘッドである。各色の記録ヘッドにおいて、吐出口列は第２の実施形態と同様に２列構成となっている（７０１においては７０１ｏと７０１ｅ）。各吐出口列において、複数の吐出口は記録媒体５の幅分だけ紙面垂直方向に所定のピッチで配列している。
【００６０】
７ａおよび７ｂは搬送ローラである。２つの搬送ローラ７ａおよび７ｂの回転により搬送ベルト８が回転し、記録媒体５を図の矢印方向に搬送する。
【００６１】
５色の記録ヘッド７０１〜７０５は、図の位置に固定されており、搬送される記録媒体５の搬送速度に応じた周波数でインク滴を吐出する。記録媒体の搬送速度および記録ヘッドの吐出周波数は、搬送ローラ７の回転速度および記録ヘッドドライバの駆動周波数を調整することによって、制御することが可能となる。
【００６２】
図８は、実際に記録を行う際に、本実施形態のＣＰＵが行う記録処理の一例を説明するためのフローチャートである。
【００６３】
ホスト装置より記録開始命令が入力されると、ＣＰＵは、まず入力されてきたジョブのページ数を確認し（ステップＳ８１）、１ページ目の給紙動作を行う（ステップＳ８２）。
【００６４】
次に、１ページ分の画像データをホスト装置より入力し、色ごとに設けられたプリントバッファに格納する（ステップＳ８３）。
【００６５】
ステップＳ８４では、プリントバッファに格納された吐出データのカウントを行い、続くステップＳ８５では、ステップＳ８１で得られたページ数、およびステップＳ８４で得られたカウント値に応じて、次に行う記録を通常記録で行なうか分割記録で行うかを決定する。決定方法においては、相対的にミストの発生する量が多いと判断される場合には分割記録に、少ないと判断される場合には通常記録とすればよい。具体的には、例えば、所定のページ数Ｎに対し、吐出データのカウント数が閾値Ｓ以上であった場合には分割記録に、閾値Ｓ以下であった場合には通常記録というように判断すればよい。また、閾値Ｓ以上であったとしても、ページ数が少ない場合には、通常記録と判断してもよい。
【００６６】
ステップＳ８５にて通常記録と判断された場合、ステップＳ８６へ進み、記録媒体５を所定の速度で搬送させながら、所定の駆動周波数によって全５色の吐出動作を実行する。すなわち、各色、各吐出口列のプリントバッファに格納された１ページ分の全記録データを、記録媒体の１回の搬送動作にて記録する。
【００６７】
一方、ステップＳ８５で分割記録と判断された場合にはステップＳ８７に進み、吐出口列別の記録動作を行う。この際、まず記録媒体５を矢印の方向へ搬送させながら、各色の１列分の吐出口列（７０１ｏ、７０２ｏ、７０３ｏ、７０４ｏ、７０５ｏ）によって、所定の周波数で１ページ分の記録を行う。次に、記録媒体５を吸着したまま（５ｂ）、搬送ローラ７ａおよび７ｂを更に回転させることによって、元の給紙位置まで記録媒体を搬送する。更に記録媒体５の搬送を続け、再び記録ヘッド７０１〜７０５の下部を通過させる際には、もう片方の列の吐出口列（７０１ｅ、７０２ｅ、７０３ｅ、７０４ｅ、７０５ｅ）によって、残りの画像の記録を行う。以上により、１ページ分の画像が完成する。以上のような分割記録を行う際、２回分の搬送動作が行われるので、通常記録に比べて多くの時間が費やされる。よって、本実施形態においては、分割記録を行う際の記録媒体の搬送速度および記録ヘッドからの吐出周波数をより高く設定する。これにより、分割記録を行った際のタイムロスを極力低減することが可能となる。
【００６８】
ステップＳ８６あるいはステップＳ８７により１ページ分の記録が完了すると、ステップＳ８８へ進み、排紙動作が行われる。
【００６９】
続くステップＳ８９では、ホスト装置より入力された記録コマンドの全ジョブが終了したか否かを判断する。終了していないと判断された場合にはステップＳ８２に戻り、次のページの記録を行うための給紙動作を行う。ステップＳ８９で、全ジョブが終了したと判断された場合には、本処理を終了する。
【００７０】
以上説明したように本実施形態によれば、各色で２列ずつ吐出口が配列して構成されたインクジェット記録ヘッドを用いたフルライン型のインクジェット記録装置において、付着するミストの量が多いと判断されたページあるいはジョブに対してのみ、吐出口列別の分割記録走査を行うことにより、ワイピング動作が必要となる時間間隔を延長させることが出来る。よって、必要以上に記録時間を増大させること無く、ワイピング機能も保持することが出来るので、長期間に渡って安定した品位の画像を出力することが可能となる。
【００７１】
なお、本実施形態においても上述の実施形態と同様、ページ枚数やデータカウント値によってのみ記録方法を決定する構成でなくともよい。また、全色におけるデータカウント値ではなく、隣接する２色の吐出口列でのデータカウント値を行い、その結果によって記録方法を決定してもよい。
【００７２】
更に、分割記録方法も上述した方法に限定されなくともよい。例えば、１列おきの吐出口列で同時吐出した場合にも若干のカーテン効果が発生する場合には、第１の実施形態の方法を導入し、各記録動作において、吐出するインク色を制御する方法を採用してもよい。
【図面の簡単な説明】
【００７３】
【図１】高密度な記録を可能な記録ヘッドの構成例を示した模式図である。
【図２】本発明の第１の実施形態に適用するシリアル型のインクジェット記録装置の内部構造を説明するための斜視図である。
【図３】本発明の実施形態で適用するインクジェット記録装置の制御系の構成を説明するためのブロック図である。
【図４】本発明の第１の実施形態のＣＰＵが行う記録処理の一例を説明するためのフローチャートである。
【図５】本発明の第２の実施形態に適用するシリアル型のインクジェット記録装置の内部構造を説明するための斜視図である。
【図６】本発明の第２の実施形態で適用する記録ヘッドを吐出口面側から観察した場合の模式図である。
【図７】本発明の第３の実施形態に適用するフルライン型のインクジェット記録装置の内部構造を説明するための側面図である。
【図８】本発明の第３の実施形態のＣＰＵが行う記録処理の一例を説明するためのフローチャートである。
【符号の説明】
【００７４】
１    キャリッジ
２    キャリッジモータ
３    キャリッジベルト
５    記録媒体
６    記録ヘッド
７    搬送ローラ
８    搬送ベルト
４１、４２    ガイドシャフト
６１〜６４    吐出口列
６０１    ホスト装置
６０２    ＣＰＵ
６０３    ＲＯＭ
６０４    ＲＡＭ
６０５    記録ヘッドドライバ
６０７    キャリッジモータドライバ
６０９    搬送モータドライバ
６１０    搬送モータ
６１１    回復系ドライバ
６１２    回復系機構
７０１〜７０５    記録ヘッド
【図１】
2005288909.tif 000003
【図２】
2005288909.tif 000004
【図３】
2005288909.tif 000005
【図４】
2005288909.tif 000006
【図５】
2005288909.tif 000007
【図６】
2005288909.tif 000008
【図７】
2005288909.tif 000009
【図８】
2005288909.tif 000010